(57)【特許請求の範囲】
【請求項１】
検出空間内の音または振動を検出する検出手段（３ａ）と、
検出空間内への被検知者の入室を検出する入室検出手段（３ｂ）と、
前記入室検出手段（３ｂ）にて被検知者を検出してモニター動作を開始し、前記検出手段（３ａ）にて検出した音または振動を示す第１情報に基づいて、被検知者の異常動作状態を判定する第１判定手段（１４０、１４０ａ）とを備えた人体異常検知装置において、
前記第１判定手段（１４０、１４０ａ）は、前記検出手段（３ａ）にて検出する音または振動を示す第１情報に基づいて、第１フィルター手段（５ａ）により特定周波数成分を抽出し、実質無音状態または無振動状態であることを検出して、被検知者の異常動作状態を判定するものであって、
前記第１判定手段（１４０、１４０ａ）は、前記第１フィルター手段（５ａ）により抽出された特定周波数成分のうち、所定の第１閾値（Ｌ１）以上、かつ第３所定時間（Ｔ３）以上継続された音または振動を検出音または検出振動として、実質無音状態または無振動状態でないことを検出して、被検知者の異常動作状態を判定し、
前記検出空間とは浴室であって、前記浴室内に給湯する給湯装置および前記給湯装置の運転、停止を示す給湯運転情報が備えられ、前記給湯装置の運転を示す前記給湯情報が入力されたときに、前記第１判定手段（１４０、１４０ａ）は、前記所定の第１閾値（Ｌ１）または／および前記第３所定時間（Ｔ３）を、前記第１閾値（Ｌ１）および第３所定時間（Ｔ３）よりも大きい第２閾値（Ｌ２）または／および第６所定時間（Ｔ６）に変更し、第２閾値（Ｌ２）または／および第６所定時間（Ｔ６）以上継続された音または振動を検出音または検出振動として検出することにより、前記給湯装置が運転されている状態にあっても実質無音状態または無振動状態でないことを検出し、被検知者の異常動作状態を判定することを特徴とする人体異常検知装置。
【請求項２】
前記入室検知手段（３ｂ）は、被検知者までの距離を検出する測距手段（３ｂ）であることを特徴とする請求項１に記載の人体異常検知装置。
【請求項３】
前記第１判定手段（１４０、１４０ａ）は、音または振動を示す前記第１情報が所定時間の間実質無音状態または無振動状態であることを検出して、被検知者の異常動作状態を判定することを特徴とする請求項１または請求項２に記載の人体異常検知装置。
【請求項４】
前記第１判定手段（１４０、１４０ａ）は、前記測距手段（３ｂ）にて検出した距離情報から被検知者の移動を示す第２情報を求め、前記第２情報に基づいて、被検知者の異常動作状態を判定する第２判定手段（１７０）を備え、前記第２判定手段（１７０）が前記第２情報に基づいて実質変化しないことを検出し、かつ音または振動を示す前記第１情報が所定時間の間実質無音状態または無振動状態であることを検出して、被検知者の異常動作状態を判定することを特徴とする請求項３に記載の人体異常検知装置。
【請求項５】
前記第１判定手段（１４０、１４０ａ）は、前記入室検知手段（３ｂ）にて被検知者を検出しないときに、前記検出手段（３ａ）にて検出する音または振動を示す第１情報を暗騒音情報または暗振動情報として記憶する記憶手段（１２０）を有し、前記した実質無音状態または無振動状態であることを検出する際の基準値として、前記暗騒音情報または暗振動情報を用いることを特徴とする請求項１ないし請求項４のいずれか一項に記載の人体異常検知装置。
【請求項６】
前記第１フィルター手段（５ａ）は、抽出する特定周波数成分として少なくとも２つ以上の成分を切り替えて抽出するか、または同時に抽出するように構成されることを特徴とする請求項１ないし請求項５のいずれか一項に記載の人体異常検知装置。
【請求項７】
前記第１判定手段（１４０、１４０ａ）は、前記所定の第１閾値（Ｌ１）以上、かつ第３所定時間（Ｔ３）以上継続された音または振動を前記検出音または前記検出振動として検出しても、その後の所定の範囲時間（Ｔ４〜Ｔ５）内に、再び前記検出音または前記検出振動を検出しないときに、実質無音状態または無振動状態であることを検出して、被検知者の異常動作状態を判定することを特徴とする請求項６に記載の人体異常検知装置。
【請求項８】
前記第１判定手段（１４０、１４０ａ）は、前記第１フィルター手段（５ａ）により抽出された特定周波数成分を、所定の第１時定数でＡＣ・ＤＣ変換して直流成分にするとともに、前記第１時定数よりも長い第２時定数でＡＣ・ＤＣ変換して変動閾値とし、これに固定閾値を加算して合成閾値として、直流成分が前記合成閾値を第７所定時間（Ｔ７）以上超えているときに、実質無音状態または無振動状態でないと判定することを特徴とする請求項１ないし請求項７のいずれか一項に記載の人体異常検知装置。
【請求項９】
前記第１判定手段（１４０、１４０ａ）が被検知者の異常動作状態を判定したとき被検知者に報知する報知手段（１５０、１５０ａ）を備え、かつ前記第１判定手段（１４０、１４０ａ）は、被検知者の異常動作状態を判定したとき前記報知手段（１５０、１５０ａ）により被検知者に報知した後に、被検知者の異常の有無を判定する応答判定手段（１６０）を有することを特徴とする請求項１ないし請求項８のいずれか一項に記載の人体異常検知装置。
【請求項１０】
前記報知手段（１５０、１５０ａ）から出力される音声は、前記第１フィルター手段（５ａ）により抽出される特定周波数成分が予め除去された音声であることを特徴とする請求項９に記載の人体異常検知装置。
【請求項１１】
前記第１判定手段（１４０、１４０ａ）によって検出空間内にいる被検知者の異常動作状態を判定したときに、浴室外へ警報を出力する警報手段（１８０、２００）を有することを特徴とする請求項１ないし請求項１０のいずれか一項に記載の人体異常検知装置。
【請求項１２】
前記報知手段（１５０、１５０ａ）および前記警報手段（１８０、２００）は、音声を出力する拡声器（４ｂ）や報知器（３ｃ）により構成されるとともに、前記検出手段（３ａ）がマイクロフォン（３ａ）により構成され、前記拡声器（４ｂ）の近傍に音声を入力する第２マイクロフォン（４ｄ）が付加されることで、前記検出空間内と外とは、双方向に通話可能な通話手段が設けられることを特徴とする請求項１０または請求項１１に記載の人体異常検知装置。
【請求項１３】
前記マイクロフォン（３ａ）により入力された音声のうち、第２フィルター手段（５ｂ）により特定周波数成分が除去された音声で前記拡声器（４ｂ）より出力することを特徴とする請求項１２に記載の人体異常検知装置。
【発明の詳細な説明】
【０００１】
【発明の属する技術分野】
本発明は、検出空間内にいる被検知者の異常動作状態を検出する人体異常検知装置に関する。
【０００２】
【従来の技術】
従来、この種の人体異常検知装置として、検出空間内の映像をその空間外でモニタし、映像内の被検知者が動かなくなったことを検知して警報を発するものが知られている。この従来の装置では、一般的に対象とする空間内全体を見渡せる位置にカメラを配置し、そのカメラで撮えた映像をモニター受像器に表示しつつ被検知者の動きを監視するものである。そして、映像内に撮えられた被検知者が動かなくなったことを検知して警報を発するものである。
【０００３】
また、近年、高齢者や傷病者介護の社会的要請が高まり、その支援システムの一つとして生活環境内の中で特に浴室や便所などの個室空間内における被検知者の動きをモニターし、万一心臓停止などの不慮の事故で被検知者が突然動かなくなったときに他の空間に居る人に報知するための人体異常検知装置が要望されている。
【０００４】
【発明が解決しようとする課題】
しかしながら、それらの個室空間に適用させるためには、カメラを設置して映像でもって監視する装置では、検出空間として暗い部屋、あるいは湯気の発生する浴室に適用する場合には、検出精度が悪化するという問題がある。
【０００５】
そこで、本発明の目的は、上記点を鑑み、検出空間内の環境条件が悪い場合でも検出精度を維持し、確実にモニターできる人体異常検知装置を提供するものである。
【０００６】
【課題を解決するための手段】
上記目的を達成するために、請求項１ないし請求項１３に記載の技術的手段を採用する。すなわち、請求項１に記載の発明では、検出空間内の音または振動を検出する検出手段（３ａ）と、検出空間内への被検知者の入室を検出する入室検出手段（３ｂ）と、この入室検出手段（３ｂ）にて被検知者を検出してモニター動作を開始し、検出手段（３ａ）にて検出した音または振動を示す第１情報に基づいて、被検知者の異常動作状態を判定する第１判定手段（１４０、１４０ａ）とを備えた人体異常検知装置において、
第１判定手段（１４０、１４０ａ）は、検出手段（３ａ）にて検出する音または振動を示す第１情報に基づいて、第１フィルター手段（５ａ）により特定周波数成分を抽出し、実質無音状態または無振動状態であることを検出して、被検知者の異常動作状態を判定するものであって、
第１判定手段（１４０、１４０ａ）は、第１フィルター手段（５ａ）により抽出された特定周波数成分のうち、所定の閾値（Ｌ１）以上、かつ第３所定時間（Ｔ３）以上継続された音または振動を検出音または検出振動として、実質無音状態または無振動状態でないことを検出して、被検知者の異常動作状態を判定することを特徴としている。
更に、検出空間とは浴室であって、この浴室内に給湯する給湯装置および給湯装置の運転、停止を示す給湯運転情報が備えられ、給湯装置の運転を示す給湯運転情報が入力されたときに、第１判定手段（１４０、１４０ａ）は、所定の第１閾値（Ｌ１）または／および第３所定時間（Ｔ３）を、前記第１閾値（Ｌ１）および第３所定時間（Ｔ３）よりも大きい第２閾値（Ｌ２）または／および第６所定時間（Ｔ６）に変更している。そして、第２閾値（Ｌ２）または／および第６所定時間（Ｔ６）以上継続された音または振動を検出音または検出振動として検出することにより、前記給湯装置が運転されている状態にあっても実質無音状態または無振動状態でないことを検出し、被検知者の異常動作状態を判定することを特徴としている。
【０００７】
請求項１に記載の発明によれば、被検知者が発生させる音または振動を示す第１情報に基づいて、被検知者の異常動作状態を判定する第１判定手段（１４０、１４０ａ）とを備えたことにより、従来のカメラを用いた監視装置と比較して、例えば、音響では閉ざされた空間や狭い空間内ほど反響音が大きく、かつ検出空間外から侵入する音は空気中の伝播や壁面透過で減衰しやすいため、音の有無を容易に検出できる。特に暗い部屋、あるいは湯気の発生する浴室に適用する場合にはカメラを用いる映像よりも検出精度が優れる。
【０００８】
また、カメラでは狭い空間ほど検出する映像範囲に制約が生ずるため、取付位置の制約か、またはカメラに追従手段などの付加機能などを有することが必要となるため、音または振動を検出する方式の方が取付位置の制約がなく指向性の追従の必要性はない。
また、第１情報から第１フィルター手段（５ａ）により特定周波数成分を抽出し、実質無音状態または無振動状態であることを検出して、被検知者の異常動作状態を判定することにより、検出空間外から侵入する音または振動の影響を受けずに検出空間内で発生する音または振動の第１情報から、例えばバンドパスフィルターによって特定周波数成分を抽出することで、検出空間内の音または振動の有無をより正確にかつ容易に検出できる。
更に、検出空間内で発生する音または振動のうち、比較的大きく、かつ持続時間が長い音または振動だけを抽出することにより、検出空間外から侵入する音または振動に、第１フィルター手段（５ａ）により抽出される特定周波数成分が減衰しきれずに残っていても、正確かつ容易に検出空間内の音または振動を検出できる。
更に、給湯装置の運転を示す給湯運転情報が入力されたときに、具体的には、被検知者が浴槽内にたし湯をしたり、洗い場でシャワーを浴びるなど水栓やシャワーを開いて給湯動作をしたときに、検出空間内の音または振動が異なるため、第２閾値（Ｌ２）または／および第６所定時間（Ｔ６）に変更することにより、たとえ水栓やシャワーが開かれたままの状態が継続されているときにおいては、被検知者の継続的動作を伴なわない繰り返し音または繰り返し振動に重畳されているので、被検知者の動作音や動作による振動のみを検出して確実に被検知者の異常動作状態を判定することができる。
【０００９】
請求項２に記載の発明では、入室検知手段（３ｂ）は、被検知者までの距離を検出する測距手段（３ｂ）であることを特徴としている。
【００１０】
請求項２に記載の発明によれば、被検知者までの距離を検出する測距手段（３ｂ）を用いることにより、被検知者の検出空間への入退室を被検知者までの距離変化、つまり被検知者の移動として検出するので確実に被検知者の入退室を検出できる。
【００１１】
請求項３および請求項４に記載の発明では、第１判定手段（１４０、１４０ａ）は、音または振動を示す第１情報が所定時間の間実質無音状態または無振動状態であることを検出して、被検知者の異常動作状態を判定すること、具体的には、測距手段（３ｂ）にて検出した距離情報から被検知者の移動を示す第２情報を求め、この第２情報に基づいて、被検知者の異常動作状態を判定する第２判定手段（１７０）を備え、この第２判定手段（１７０）が第２情報に基づいて実質変化しないことを検出し、かつ音または振動を示す第１情報が所定時間の間実質無音状態または無振動状態であることを検出して、被検知者の異常動作状態を判定することを特徴としている。
【００１２】
請求項３および請求項４に記載の発明によれば、被検知者の移動を示す第２情報が実質変化せず、かつ第１情報の音が所定時間の間実質無音状態または無振動状態であることを検出することにより、上記第２情報において、例えば被検知者の動きが停止して身体の移動がなくなったことと、音が実質無音状態にある音の検出によって異常動作状態をより確実に判定できる。
【００１３】
請求項５に記載の発明では、第１判定手段（１４０、１４０ａ）は、入室検知手段（３ｂ）にて被検知者を検出しないときに、検出手段（３ａ）にて検出する音または振動を示す第１情報を暗騒音情報または暗振動情報として記憶する記憶手段（１２０）を有し、前記した実質無音状態または無振動状態であることを検出する際の基準値として、暗騒音情報または暗振動情報を用いることを特徴としている。
【００１４】
請求項５に記載の発明によれば、具体的には、被検知者を検出しないときに、モニターしている第１情報を暗騒音情報または暗振動情報として記憶する記憶手段（１２０）を基準値として対比させることで、異常動作状態の判定が容易である。
【００１７】
請求項６に記載の発明では、第１フィルター手段（５ａ）は、抽出する特定周波数成分として少なくとも２つ以上の成分を切り替えて抽出するか、または同時に抽出するように構成されることを特徴としている。
【００１８】
請求項６に記載の発明によれば、検出空間内で発生する音または振動から、少なくとも２つ以上の特定周波数成分を切り替えて抽出するか、または同時に抽出することにより、検出空間の大きさの変化より共鳴または共振周波数などが変動しても確実に検出空間内で発生する音または振動が検出できる。
【００２１】
請求項７に記載の発明では、第１判定手段（１４０、１４０ａ）は、所定の第１閾値（Ｌ１）以上、かつ第３所定時間（Ｔ３）以上継続された音または振動を検出音または検出振動として検出しても、その後の所定の範囲時間（Ｔ４〜Ｔ５）内に、再び検出音または検出振動を検出しないときに、実質無音状態または無振動状態であることを検出して、被検知者の異常動作状態を判定することを特徴としている。
【００２２】
請求項７に記載の発明によれば、例えば浴室に隣接する脱衣室や洗面室などで、ドアや戸棚の扉などを勢いよく閉じるような単発音または単発振動は、その後再現がなければ、実質無音状態または無振動状態であると判定するため、万一上述の検知空間外からの単発的な音または振動を検出しても、実質無音状態または無振動状態であると判定するため被検知者の異常動作状態を判定するときに誤検出を防止できる。
【００２５】
請求項８に記載の発明では、第１判定手段（１４０、１４０ａ）は、第１フィルター手段（５ａ）により抽出された特定周波数成分を、所定の第１時定数でＡＣ・ＤＣ変換して直流成分にするとともに、第１時定数よりも長い第２時定数でＡＣ・ＤＣ変換して変動閾値とし、これに固定閾値を加算して合成閾値として、直流成分が合成閾値を第７所定時間（Ｔ７）以上超えているときに、実質無音状態または無振動状態でないと判定することを特徴としている。
【００２６】
請求項８に記載の発明によれば、第１フィルター手段（５ａ）により抽出された特定周波数成分を、まず第１時定数でＡＣ・ＤＣ変換することにより、急峻に変動する信号を緩和された直流成分とし、短時間または変動分の少ない音または振動を除去する。
【００２７】
また、同時に第１時定数よりも長い第２時定数でＡＣ・ＤＣ変換することにより、第１時定数でＡＣ・ＤＣ変換した波形よりやや遅れて、更に緩やかに変動する波形を生成して変動閾値とし、これに固定閾値を加算して合成閾値とする。
【００２８】
上記直流成分がこの合成閾値を第７所定時間（Ｔ７）以上超えているときに、実質無音状態または無振動状態でないと判定することにより、一定時間以上無音状態または無振動状態が継続した後は、比較的小さな音または振動を検出できるが、シャワーまたは水栓などを開いたままにしているときのような、変化の少ない音または振動は発生直後のみ検出して、以後は検出しないようにすることができる。
【００２９】
請求項９に記載の発明では、第１判定手段（１４０、１４０ａ）が被検知者の異常動作状態を判定したとき被検知者に報知する報知手段（１５０、１５０ａ）を備え、かつ第１判定手段（１４０、１４０ａ）は、被検知者の異常動作状態を判定したとき報知手段（１５０、１５０ａ）により被検知者に報知した後に、被検知者の異常の有無を判定する応答判定手段（１６０）を有することを特徴としている。
【００３０】
請求項９に記載の発明によれば、被検知者に報知した後に、被検知者の異常の有無を判定する応答判定手段（１６０）を有することにより、被検知者との相互確認を行うことができ、かつ被検知者との対話のある段階的な人体異常検知装置が可能となる。
【００３１】
請求項１０に記載の発明では、報知手段（１５０、１５０ａ）から出力される音声は、第１フィルター手段（５ａ）により抽出される特定周波数成分が予め除去された音声であることを特徴としている。
【００３２】
請求項１０に記載の発明によれば、検出空間内に報知される音声は、第１フィルター手段（５ａ）により抽出される特定周波数成分が予め除去または減衰して報知されることにより、報知中であっても検出手段（３ａ）で被検知者の動作音のみを確実に検出できる。
【００３３】
請求項１１に記載の発明では、第１判定手段（１４０、１４０ａ）によって検出空間内にいる被検知者の異常動作状態を判定したときに、浴室外へ警報を出力する警報手段（１８０、２００）を有することを特徴としている。
【００３４】
請求項１１に記載の発明によれば、検出空間のうちで、例えば浴室に設けることにより、従来のカメラを用いる映像と比較して性的な面での不評を招く恐れもなく、かつ入浴中の心臓停止などの不慮の事故を未然に検知できる装置の提供が可能である。
【００３５】
請求項１２に記載の発明では、報知手段（１５０、１５０ａ）および警報手段（１８０、２００）は、音声を出力する拡声器（４ｂ）や報知器（３ｃ）により構成されるとともに、検出手段（３ａ）がマイクロフォン（３ａ）により構成され、拡声器（４ｂ）の近傍に音声を入力する第２マイクロフォン（４ｄ）が付加されることで、検出空間内と外とは、双方向に通話可能な通話手段が設けられることを特徴としている。
【００３６】
請求項１２に記載の発明によれば、具体的に、音声を入力または出力する拡声器（４ｂ）、報知器（３ｃ）およびマイクロフォン（３ａ）により構成され、第２マイクロフォン（４ｄ）が付加されることで、双方向に通話可能な通話手段が設けられることにより、低コストの通話手段が構成でき、かつ双方向から会話が可能となり被検知者に異常が発生する前に注意を促すことができる。
【００３７】
請求項１３に記載の発明では、マイクロフォン（３ａ）により入力された音声のうち、第２フィルター手段（５ｂ）により特定周波数成分が除去された音声で拡声器（４ｂ）より出力することを特徴としている。
【００３８】
請求項１３に記載の発明によれば、検出空間内で発する音声から、検出空間内の反響音および共鳴音などにより増幅された成分を除去できるため、例えばシャワーを浴びたり、洗面器などの容器に溜めたお湯を捨てるような大きな音でも音割れや耳障りな音声になることがなく、正確に検出空間外でモニターができる。
【００３９】
なお、上記各手段の括弧内の符号は、後述する実施形態の具体的手段との対応関係を示すものである。
【００４０】
【発明の実施の形態】
（第１実施形態）
以下、本発明の人体異常検出装置の第１実施形態を図１ないし図３に基づいて説明する。まず、図１は本発明を検出空間として浴室に適用した人体異常検出装置１の搭載説明図である。
【００４１】
この人体異常検出装置１は、検出空間である浴室２内の壁面に設置されたリモコンパネル３と、浴室２外の図示しない居間や台所などの人が常に存在する居室に設置された操作パネル４とで構成されている。リモコンパネル３内には、浴室２内の音をモニターするための検出手段であるマイクロフォン３ａと、入室検出手段の一例として、被検知者までの距離を検出する測距手段である赤外線測距センサー３ｂと、音声などの発生信号により被検知者に報知するための報知器３ｃが設けられている。
【００４２】
なお、赤外線測距センサー３ｂは、被検知者が浴室２内の入退室の検知を行うとともに、被検知者までの距離から被検知者が洗い場２ｂや浴槽２ｃ内での浴室２内での移動を求めるためのセンサーであり、図１に示すように、浴室扉２ａ、洗い場２ｂ、浴槽２ｃの順に配列される壁面に取り付けると良い。また、この壁面以外のときには、浴室扉２ａに向けて照射方向が自在に調整でき、かつ洗い場２ｂ、浴槽２ｃとの隔たりが求めるような位置に配置すると好ましい。
【００４３】
また、報知器３ｃは、本実施形態では「大丈夫ですか？」、「水が出しぱなしです」などの音声信号で被検知者に報知する報知手段で詳しくは後述する。
【００４４】
次に、操作パネル４には、人体異常検出装置を作動させる運転スイッチ４ａと、浴室２内の被検知者に異常が起きたときに異常を外部に警報する警報手段である拡声器４ｂと、この拡声器４ｂの警報手段を解除するための解除スイッチ４ｃとが設けられている。また、拡声器４ｂは、警報音の音圧レベル値が少なくとも小レベルと大レベルの２段階に設定されている。
【００４５】
次に、操作パネル４内には、上記マイクロフォン３ａおよび赤外線測距センサー３ｂから入力された音響および身体の動きに係わる信号入力に基づいて、報知器３ｃおよび拡声器４ｂを制御する制御装置５が設けられている。そして、制御装置５は、内部にマイクロコンピュータなどを備え、そのマイクロコンピュータには図示しないＣＰＵ、ＲＯＭ、ＲＡＭなどを持つ周知のものであり、操作パネル４の運転スイッチ４ａの操作入力によって作動するものである。
【００４６】
次に、本発明の要部である浴室２内で被検知者が心臓停止などで身体の動きが停止したときなどの異常が発生したときの処理手順について、図２に示す制御装置５の制御フローチャートに基づいて説明する。まず、被検知者が浴室２内に入室する前に運転スイッチ４ａをオンさせて制御装置５に電源を供給すると、図２に示すメインルーチンが起動する。そして、ステップ１００にて、データ処理用メモリー（ＲＡＭ）の記憶内容などの初期化を行う。次の在室判定手段であるステップ１１０において、被検知者が浴室２内に入室したか否かのいずれかを赤外線測距センサー３ｂより入室を検出することによって判定をするものであり、この時にはまだ浴室２内に入室していないのでＮＯと判定しステップ１２０に移行する。
【００４７】
ステップ１２０では、浴室２内に人が存在していないときの浴室２内の暗騒音の音響波形をマイクロフォン３ａから集音してＲＡＭに記憶させる暗騒音記憶手段（記憶手段）である。そして、被検知者が浴室２内に入室すると、上記ステップ１１０の在室判定手段によってＹＥＳと判定され、次のステップ１３０の検知開始に移行する。
【００４８】
このステップ１３０では、被検知者が浴室２内で身体を動かすことによって発生する音と被検知者の身体の動きをマイクロフォン３ａと赤外線測距センサー３ｂとから検出した音響波形と被検知者までの距離の信号を入力することで、被検知者のモニターを開始するものである。
【００４９】
ここで、このモニターされる音響波形、被検知者までの距離について図３を用いて説明する。まず、制御装置５には、図示しない信号処理部を有し、マイクロフォン３ａや赤外線測距センサー３ｂから音響波形と被検知者までの距離の信号を入力するものであり、音響波形の信号では、被検知者の動作によって以下の３種類に大別された音圧特性の音響波形が入力されモニターされる。
【００５０】
すなわち、一つ目が上記で述べた浴室２内に被検知者が入室する前のときの浴室２内での暗騒音を表わす暗騒音特性Ｘがある。この暗騒音特性Ｘは、後述するステップ１４０にて判定のための基準値となり、音の発生源が浴室２外にあるために音圧特性が図３のように低い値を示している。
【００５１】
次に二つ目は、被検知者が洗い場２ｂにおいて自らの身体を洗浄しているときに発生する洗浄音を表わす洗浄音特性Ｙがある。そして三つ目は、被検知者が浴槽２ｃ内での入浴中に発生する入浴音を表わす入浴音特性Ｚがある。一般的に洗浄音特性Ｙの方が入浴音特性Ｚよりも音圧特性が大きい。なお、このなかで暗騒音特性Ｘは、上述したステップ１２０においてＲＡＭ内に記憶されている。
【００５２】
また、距離の信号を用いて、被検知者が浴室２内で身体の移動をする移動距離特性ＸＸを求める。例えば浴室２内に入室から洗い場２ｂ、浴槽２ｃを介して浴室２外に退室までを被検知者と赤外線測距センサー３ｂとの距離でもって単位時間あたりの移動距離を表わしてモニターしている。
【００５３】
なお、これらのモニター信号で音響波形を示す信号を第１情報であり、移動距離を示す信号を第２情報としている。そして、例えば浴室２内で被検知者が心臓停止などの不慮の事故が起きたときには、被検知者の動きが停止されて移動距離および音響波形に変化が生ずる。すなわち、移動距離においては停止状態が継続されるとともに、音響波形は暗騒音特性Ｘにほぼ近似した音圧特性が低レベルの無音域状態が継続されることになる。
【００５４】
そこで、次の第１判定手段であるステップ１４０では、ステップ１２０で記憶した暗騒音特性Ｘとモニターされた無音域状態における音圧特性とを対比させて、音圧特性が所定量以下で、かつ第１所定時間（Ｔ１）が経過したか否かを判定して被検知者の異常動作状態を判定する第１異常判定手段である。そして、ここでＹＥＳであればステップ１５０に移行する。
【００５５】
このステップ１５０は、被検知者に異常の有無を問い掛けるための報知手段であって、例えば「大丈夫ですか？」とか「どうかしましたか？」などの音声信号による問い掛けを実行するものである。なお、この音声信号は予め図示しないＲＯＭ内に記憶されており、報知器３ｃに出力させて被検知者に問い掛けを行うものである。
【００５６】
そして次に、ステップ１６０において、上記問い掛けに対する応答の有無を判定する応答判定手段であって、被検知者の異常の有無を判定する。具体的には被検知者が音声を発して無音領域の音圧特性に変化を与え無音領域以上の音圧特性が検出されて検知者からの応答がありか否かを判定するものでる。応答があれば再度ステップ１４０に移行する。なお、このステップ１４０の第１異常判定手段においては、「応答あり」の音圧特性が所定の時間継続したときに第１異常判定手段が解除されるようになっている。これは、「応答あり」の音圧特性が極短い応答であるときには、第１異常判定手段を解除せず、ステップ１５０の報知手段をもう一度確認するようにしている。
【００５７】
そして、ステップ１６０の応答判定手段において、応答が無いときには、次の第２判定手段であるステップ１７０を実行する。ここでは、移動距離特性ＸＸのモニターより被検知者の停止状態が継続されているか否かを判定して被検知者の異常動作状態を判定する第２異常判定手段である。そして、停止状態の信号であればステップ１８０に移行する。
【００５８】
このステップ１８０は警報手段であり、具体的には、操作パネル４が配置された居室にいる人に浴室２内で検知者に異常が発生したと警報するための手段であり、ここでは、制御装置５より警報音を小レベル程度の出力信号を拡声器４ｂに制御させ拡声器４ｂより警報音を発するものである。
【００５９】
そして、警報を発するとともに、次のステップ１９０において、浴室２内の状況を確認するために、モニターされた信号の音響波形または移動距離のいずれかの信号に変化が生じたか否かの判定する。そして、これらの特性のいずれかに変化がなければ次の警報手段であるステップ２００に移行する。なお、これらの特性のいずれかに変化が生じたときには、「変化あり」と判定しステップ１４０に移行する。
【００６０】
ステップ２００の警報手段は、上記ステップ１８０の警報手段よりも、警報音をさらに高めた大レベルでもって拡声器４ｂより警報音を発するものである。なお、この警報手段を解除するには解除スイッチ４ｃを作動させることにより警報音が解除される。従って、ステップ２１０によって解除スイッチ４ｃが解除されるまで警報音が継続されている。
【００６１】
以上の処理手順は、主に被検知者の動きの中で無音領域に至ってかつ動きが停止状態を継続したときの異常検出、報知手段および警報手段を説明したが、シャワーや水栓などを出し続けているときに被検知者に異常が生じたときには、音響波形が低レベル域を超えているために、ステップ１４０の第１異常判定手段においてＮＯと判定される。このときには、上述したステップ１７０の第２異常判定手段でもって判定する。つまり、被検知者の移動距離特性ＸＸが停止状態が継続していなければ異常無しと判定するもので停止状態の信号であればステップ２２０に移行する。これにより、被検知者の身体の動きがあるときには、以下の第３異常判定手段を実行させないようにしてある。
【００６２】
そして、第３判定手段であるステップ２２０では、記憶された暗騒音特性Ｘよりも音圧特性が大きい中レベル相当の音響波形がモニターされるものであり、中音領域の音圧特性をモニターして第２所定時間（Ｔ２）が経過したか否かを判定して被検知者の異常動作状態を判定する第３異常判定手段である。そして、第２所定時間（Ｔ２）が経過してＹＥＳであればステップ１５０に移行する。
【００６３】
このステップ１５０は、上述したステップ１５０と同様の被検知者に異常の有無を問い掛けるための報知手段であり、ここでは、例えば「水が出しぱなしですよ！」とか「どうかしましたか？」などの音声信号による問い掛けを実行するものである。なお、この音声信号は予め図示しないＲＯＭ内に記憶されており、報知器３ｃに出力させて被検知者に問い掛けを行うものである。
【００６４】
そして次に、ステップ１６０において、上記問い掛けに対する応答の有無を判定する応答判定手段であって、被検知者の異常の有無を判定する。具体的には被検知者がシャワー、水栓などを停止させ中音領域の音圧特性が低下するなどの音圧特性に変化を与えるか、または身体の動きを変えて移動距離特性ＸＸに変化を与えることで「応答あり」と判定するもので、応答があればステップ１４０を介して再度ステップ２２０に移行する。なお、このステップ２２０の第３異常判定手段においては、「応答あり」の音圧特性が所定の時間継続したときまたは移動距離特性ＸＸが停止時様態から変化したときに第３異常判定手段が解除されるようになっている。これは、「応答あり」の特性が極短い応答であるときには、第３異常判定手段を解除せず、ステップ１５０の報知手段をもう一度確認するようにしている。
【００６５】
そして、ステップ１６０の応答判定手段において、応答の無いときには異常有りと判定してステップ２００の警報手段を実行するものである。
【００６６】
なお、ステップ２１０では、解除スイッチ４ｃを解除させることで警報音を解除させたが、音響波形や移動距離特性ＸＸの特性が変化し所定の時間継続したのちに解除されるようにしても良い。また、マイクロフォン３ａは、シャワー、水栓など使用しているときの水の音を周波数帯域、波形などを敏感にとらえる検出精度を有したものが良い。
【００６７】
以上の実施形態の人体異常検知装置１によれば、マイクロフォン３ａと赤外線測距センサー３ｂとを浴室２内に設置させ、被検知者が発生させる音を示す第１情報である音響波形と、被検知者までの距離から求めた被検知者の移動を示す第２情報とに基づいて、被検知者の異常動作状態を判定する第１、第２異常判定手段ステップ１４０、１７０とを備えたことにより、従来のカメラを用いた監視装置と比較して、例えば、音響では閉ざされた空間や狭い空間内ほど反響音が大きく、かつ検出空間外から侵入する音は空気中の伝播や壁面透過で減衰しやすいため、音の有無を容易に検出できる。特に暗い部屋、あるいは湯気の発生する浴室に適用する場合にはカメラを用いる映像よりも検出精度が優れる。
【００６８】
また、カメラでは狭い空間ほど検出する映像範囲に制約が生ずるため、取付位置の制約か、またはカメラに追従手段などの付加機能などを有することが必要となるため、音を検出する方式の方が取付位置の制約がなく指向性の追従の必要性はない。
【００６９】
また、従来の映像方式と比較して性的な面での不評を招く恐れもなく、かつ入浴中の心臓停止などの不慮の事故を未然に検知できる装置の提供が可能である。
【００７０】
また、浴室２内にいる被検知者の動きを音響波形と移動距離とでもってモニターすることで、それらのモニター信号から無音領域または中音領域のいずれかを検出したときに警報手段ステップ１８０、２００によって拡声器４ｂを制御することにより、特に音響波形においては、狭い個室ほど反響が大きいことによるエコー効果が得られるため映像方式よりも高精度の検出が可能である。
【００７１】
また、異常動作状態を判定するために、無音領域を判定する第１異常判定手段ステップ１４０、中音領域を判定する第３異常判定手段ステップ２２０および移動距離を判定する第２異常判定手段ステップ１７０とを有することで、シャワーや水栓を使用していないときの無音領域の音圧特性と、シャワーや水栓を使用しているときの中音領域の音圧特性とに分けて検出させて、その後報知手段ステップ１５０でもって被検知者に確認した後に、応答判定手段ステップ１６０でもって応答ありかの判定をすることにより、まず、浴室２内に存在する被検知者との相互確認を行うことができるため、被検知者との対話のある段階的な人体異常検知装置１が可能となる。
【００７２】
また、モニターしている第１情報を記憶した暗騒音記憶手段ステップ１２０を基準値として対比させることで異常動作状態の判定が容易である。
【００７３】
（第２実施形態）
以上の実施形態では、浴室２内で発生する音響をマイクロフォン３ａにて検出し音響波形をそのままモニターして暗騒音特性Ｘと対比させて被検知者の異常動作状態を判定する説明をしたが、これに限らず、浴室２内で発生する音響をマイクロフォン３ａにて検出して、バンドパスフィルターによって特定周波数成分、例えば２０００〜４０００ＨZ、３０００ＨZ、４０００ＨZなどを抽出してその成分の絶対レベルで音の有無を検出しても良い。
【００７４】
また、リモコンパネル３内に設けられたマイクロフォン３ａ、報知器３ｃおよび操作パネル４内に設けられた拡声器４ｂを、音声の入力または出力用に用いるとともに、操作パネル４内にも浴室２外から音声を入力するマイクロフォンと通話スイッチなどを設けて、検出空間である浴室２内と浴室２外との間で通話手段を構成させると良い。
【００７５】
具体的には、図４に示すように、本実施形態では、操作パネル４内に第２マイクロフォン４ｄおよび通話スイッチ４ｅを設けるとともに、制御装置５に第１フィルター手段である第１バンドパスフィルター５ａと第２フィルター手段である第２バンドパスフィルター５ｂとが設けられている。
【００７６】
第１バンドパスフィルター５ａは、マイクロフォン３ａにて入力された音響から上述の特定周波数成分のみを抽出するフィルターである。この抽出する特定周波数成分は少なくとも二つ以上の成分を切り替えて抽出するか、または同時に抽出して、抽出した周波数成分の絶対レベルで所定の音響の有無を検出すると良い。
【００７７】
また、第２バンドパスフィルター５ｂは、被検知者と浴室２外との間で通話する際に、マイクロフォン３ａに入力される被検知者の音声を、例えば２０００〜４０００ＨZの特定周波数成分を除去または減衰するフィルターであって、これにより、浴室２内での反響音や共鳴音などによる音割れや耳障りな音が除去または減衰されて明瞭な音声とすることができる。
【００７８】
ここで、本実施形態における第１フィルター手段５ａによる特定周波数成分の抽出について、浴室２内に侵入する音および浴室２内で発生する音のうち代表的な音について解析したので図５ないし図９に基づいて説明する。図５は浴槽内で身体を動かした際にお湯が動いてチャプンと発した音、図６は浴室外で車両が走行したときの音、図７は浴室２の近傍でドアを激しく閉じたときの音、図８はシャワーヘッドをラックに引っかけて洗い場に向けて注いでいるシャワーの音、図９はシャワーヘッドを手に持って身体にシャワーを浴びているときの音である。また、各図における（ａ）はマイクロフォン３ａにて検出した経過時間（秒）に対する振幅変動の特性図、（ｂ）はその音を高速周波数変換したときの０．５秒間のピーク値の軌跡の特性図、（ｃ）はマイクロフォン３ａにて検出した音をバンドパスフィルター５ａにより２６００〜４０００ＨZの特定周波数成分を抽出した経過時間（秒）に対する振幅変動の特性図、（ｄ）は、（ｃ）における楕円で示した部分を拡大した特性図である。
【００７９】
まず、図５および図６について説明すると、（ａ）の振幅変動の特性図を比較すると、音圧レベル的には大差がなくこの状態では判別が困難である。そこで、（ｂ）に示すように高速周波数変換して比較すると図６の音の方が５００ＨZ近傍以上で音圧レベルが減衰していることが分かる。次に、本発明によるバンドパスフィルター５ａにより特定周波数成分を抽出させて比較してみると、（ｃ）および（ｄ）に示すように、図５の音の方が図６の音に比べて音圧レベルが明らかに大きい。
【００８０】
そこで、図中に示すように第１閾値（Ｌ１）と第３所定時間（Ｔ３）を設定することで、図６の外部から侵入する音は第１閾値（Ｌ１）を満足することができない。これにより、浴室２外から侵入する音に惑わされることなく、浴室２内での人の動作に伴なって発する音を検出できる。
【００８１】
次に、図７に示す浴室２の近傍でドアを激しく閉じたときの音について説明すると、（ａ）では、音発生直後の振幅が他の音に比べて大きいために、縦軸の音圧レベルの値が約１／５に縮小されている。そして、その音を本発明によるバンドパスフィルター５ａにより特定周波数成分を抽出させてみると、図７（ｄ）に示すように、第１閾値（Ｌ１）を越えてる部位が瞬発的に数箇所みられるが、同時に第３所定時間（Ｔ３）を満足していない。万一仮に、第３所定時間（Ｔ３）を満足するときであっても、後述するがその後の所定の時間の範囲内（Ｔ４からＴ５）に再度この検出音がなければ、先に検出した検出音を無効と判定することで、より確実に音響の有無を検出できる。
【００８２】
次に、図８と図９はともにシャワーを開いたときの音を解析したもので、シャワーヘッドをラックに引っかけて洗い場に向けて注いでいるときのシャワー音である図８は、単調で音圧レベルも比較的低く、第１閾値（Ｌ１）および第３所定時間（Ｔ３）を越えてる部位はほとんど認められない。一方、図９のシャワーヘッドを手に持って身体にシャワーを浴びているときの音では、絶えず音圧レベルが変動し、第１閾値（Ｌ１）および第３所定時間（Ｔ３）を充分に満足するものであって確実に検出できる音である。
【００８３】
なお、ここでは、浴室内で検出できる音を代表される浴槽内の音に基づいて、第１閾値（Ｌ１）および第３所定時間（Ｔ３）によって設定して区分したが、これに限らず、浴室内に給湯する図示しない給湯器などの給湯装置から、給湯装置が運転、停止を表わす給湯運転情報である給湯運転信号を制御装置５に入力させて、浴室内に給湯しているか否かを判定させてシャワーまたは水栓などが開いたままなのかを検出しても良い。
【００８４】
このときには、第１閾値（Ｌ１）および第３所定時間（Ｔ３）の代わりに第２閾値（Ｌ１）および第６所定時間（Ｔ６）に変更することで、より確実に判別できる。
【００８５】
また、ここではマイクロフォン３ａにて検出した音をそのままの波形で説明したが、一般的に、音の有無を電気的に処理する場合には、一旦ＡＣ・ＤＣインバータで交流成分を直流成分に変換して、直流成分の立ち上がりで閾値を越えたか否かを判定し、立ち下がりの時間までに所定時間を維持できていたかを判定するものである。本発明では、そのような判定手段を言及するものではない。
【００８６】
ただし、具体的な判定手段としてＡＣ・ＤＣ変換より判定する場合、変換時の時定数を以下のように設定することにより、シャワーまたは水栓が開いたままなのか否かをより確実に判別できることを見出したので、以下、図５（ｅ）、図８（ｅ）および図８（ｆ）に基づいて説明する。
【００８７】
図５（ｅ）および図８（ｅ）は、それぞれの（ｄ）に示す波形の＋側を半波整流して、第１時定数である時定数２ｍ秒でＡＣ・ＤＣ変換した直流成分、固定閾値と第１時定数よりも長い第２時定数である時定数１２ｍ秒でＡＣ・ＤＣ変換した変動閾値を加算した合成閾値および直流成分が合成閾値を超えている範囲を示すものである。
【００８８】
また、図８（ｆ）は、（ｃ）における２重線の楕円で示した部分を上述の（ｅ）と同様に合成閾値を求めて、直流成分が合成閾値を超えている範囲を示すものである。
【００８９】
まず、図５（ｅ）について説明すると、チャプンと発した音が入力されると、直流成分および変動閾値はそれぞれの時定数で上昇を始める。このとき、変動閾値は時定数が大きいので直流成分の上昇よりも遅れながら上昇するため、直流成分は直ちに合成閾値を超える。
【００９０】
入力音声の下降に伴なって、時定数の小さい直流成分は緩やかに下降を始めるが、変動閾値は時定数が大きいのでほとんど低下することなく安定した値を保っている。そのため、直流成分が合成閾値を超えている範囲は第７所定時間（Ｔ７）以上となり、入浴者が動作していると判別される。
【００９１】
また、シャワーヘッドをラックに引っかけて洗い場に向けて注いでいるシャワーの音を入力する図８（ｅ）においても、同様にシャワーを出し始めたときには、直流成分が合成閾値を超えている範囲は第７所定時間（Ｔ７）以上となり、入浴者が動作していると判別される。
【００９２】
しかし、シャワーを開いたまま放置した図８（ｆ）においては、ＡＣ・ＤＣ変換する以前の波形Ｂ部は、図８（ｅ）に示す波形Ａ部と同程度であるが、それ依然の連続的なシャワー音より変動閾値が安定的に大きくなっており、一時的に大きめの音声が入力されても、直流成分が合成閾値を超えている範囲は第７所定時間（Ｔ７）未満となり、検出されずに入浴者は動作していないと判別できる。
【００９３】
これにより、シャワーや水栓などを開いたまま放置された場合、出し始めだけを検出して、それ以降の放置状態を検出しないので、放置中は入浴者は動作していないものと、より確実に判別できる。
【００９４】
次に、第２実施形態による被検知者の異常動作状態を判定する制御処理について、図１０に示す制御装置５の制御フローチャートに基づいて説明する。
【００９５】
まず、モニターが開始（ステップ１３０）されると、ステップ３１０にて、ドアなどを激しく閉じるような単発的な音を検出しなくする第２タイマー（例えば２０〜３０秒程度）、検出音の発生間隔をカウントする第３タイマー（Ｔ５、例えば数秒程度）、および被検知者に異常の有無を問い掛けるまでの無音状態をカウントする第５タイマー（Ｔ１、例えば１分程度）のカウントを開始する。
【００９６】
次のステップ３２０では、給湯運転情報の判定手段であって、浴室内に給湯するために図示しない給湯装置が運転しているか停止しているかを判定するものであり、給湯信号が有れば給湯装置が運転され、給湯信号が無ければ給湯装置が停止されている。
【００９７】
給湯信号が無ければステップ３３０に移行して、バンドパスフィルター５ａによる特定周波数成分の抽出後の音響の有無を判定するための第１閾値（Ｌ１）および音響の持続時間判定用第１タイマーの時間設定のための第３所定時間（Ｔ３）を設定する。なお、給湯信号が有ればステップ３４０において、第１閾値（Ｌ１）および第３所定時間（Ｔ３）よりも大きい第２閾値（Ｌ１）および第６所定時間（Ｔ６）を設定する。
【００９８】
次に、被検知者の異常動作状態を判定する第１判定手段である第１異常判定手段のステップ１４０ａに移行して、設定された第１、または第２閾値（Ｌ１、Ｌ２）以上か否かを判定する。そして、第１、または第２閾値（Ｌ１、Ｌ２）以上であれば、さらに浴室２内での被検知者の行動音かどうかを判定するための音響判定ルーチン４００に移行する。また、逆に第１、または第２閾値（Ｌ１、Ｌ２）以下であれば、異常時の処理ルーチン５００に移行する。
【００９９】
検出された音響が第１、または第２閾値（Ｌ１、Ｌ２）以上となった時点でステップ４１０にてこの音響の持続時間を確認するための持続時間判定用第１タイマーがカウント開始される。次に、ステップ４２０にて、第１タイマーが設定された第３または第６所定時間（Ｔ３またはＴ６）をタイムアップしたか否かを判定する。タイムアップしていないときには、ステップ３１０にリターンして再度音響の検出を繰り返す。一方タイムアップしたときには、ステップ４３０に移行して第２タイマーにて単発的な音を無効とするか否かを判定する。
【０１００】
ここで、第２タイマーがタイムアップしていないときに、つまり、無音時間が比較的短い場合には、浴室内での  行動が活発であり、万一浴室内での被検知者の動作に伴なわない音響を一部検出したりしても、人体異常検知からは全く問題がないため、ステップ４５０に移行して、第２、第５、第６および第７タイマーをリセットする。つまり、ここで被検知者が行動中であると設定される。
【０１０１】
また、ステップ４３０にて、第２タイマーがタイムアップした場合には、被検知者は暫くの間動作を停止していたことになる。そこで、もしこの動作停止が何らかの不慮の事故によるものであれば、例えば外部からの音響を検出して、被検知者が動作中であると判定してしまうと警報を発するのが遅れてしまう。そのために、何らかの関係で偶発的に検出してしまった単発的な音響を排除するため、次のステップ４４０にて再確認するようにしてある。
【０１０２】
すなわち、ステップ４４０にて、第３タイマーによって第１、または第２閾値（Ｌ１、Ｌ２）以上、および第３または第６所定時間（Ｔ３またはＴ６）以上の検出音を最後に検出してからの時間、つまり検出音の発生間隔を判定している。
【０１０３】
ここで、第３タイマーがタイムアップしていれば単発的な音としてステップ４５０は実行せず（第２、第５、第６および第７タイマーをリセットせず）、言換えれば、被検知者は動作中ではないと判定して、ステップ４６０の第１、第３タイマーのリセットのみ実行する。
【０１０４】
次にステップ４７０、４８０および４９０に移行する。これらのステップでは一旦第１、または第２閾値（Ｌ１、Ｌ２）以上、および第３または第６所定時間（Ｔ３またはＴ６）以上の検出音を検出した場合、第４所定時間（Ｔ４、例えば１秒程度）の間次の音響検出を停止する。これは、図７に示す、ドアを激しく閉じたときの単発的な音でも極短い時間レベルで解析しても、いくつかのピーク値を有した複数の音響群となるため、それらを一つの音響として捕えるために実行する。その後、ステップ３１０にリターンして音響のモニターを繰り返す。
【０１０５】
次に、異常時の処理ルーチン５００について説明する。まず、ステップ５１０にて、持続時間判定用第１タイマーをリセットする。次に第１判定手段である第１異常判定手段のステップ１４０ｂに移行し第５タイマーにて無音状態の持続時間を確認する。ここで、第５タイマーがタイムアップしていない場合には、異常状態に至っていないと判定して、ステップ３１０にリターンして、音響のモニターを繰り返す。
【０１０６】
一方、第５タイマーがタイムアップしている場合には、次の報知手段であるステップ１５０ａに移行し、例えば「大丈夫ですか？」とか「どうかしましたか？」などの音声信号により被検知者に異常の有無を問い掛けるとともに、問い掛けへの応答時間待ち時間第６タイマーのカウントを開始する。この問い掛けは断続的に行なうため、問い掛け中は音響の検出を中断し、問い掛けと問い掛けとの合間に被検知者からの応答の判定を行なえば良い。
【０１０７】
なお、本実施形態では、この問い掛けのときに用いる音声信号は、第１バンドパスフィルター５ａにより抽出する特定周波数成分を予め除去または減衰させたものである。これにより、浴室内に報知される問い掛けの音声が被検知者の動作音と誤判断することがなく、かつ報知中であっても正確な第１情報を得ることができる。
【０１０８】
次に、応答手段であるステップ１６０ａに移行して被検知者からの応答の有無を判定する。ここで、応答ありが第６タイマーがタイムアップする前であれば、ステップ３１０にリターンして、音響のモニターを繰り返す。また、ここで応答があれば上述した音響判定ルーチン４００にて判定し正常であると判定する。
【０１０９】
そして、第６タイマーがタイムアップしたら、第６所定時間（例えば十数秒程度）に被検知者から応答なしとして判定し警報手段であるステップ１８０に移行する。このステップ１８０では、引き続き被検知者に問い掛けを行なうとともに、浴室２外の居室にいる人に被検知者に異常が発生したことを警報する。この警報は初期段階として小レベル程度の出力信号で拡声器４ｂにより警報音を発するものである。また、同時にこの警報による処置がなされたか否かを判定するための判定待ち第７タイマー（例えば十数秒程度）のカウントを開始する。
【０１１０】
そして、ステップ１９０ａの第７タイマーがタイムアップしたら、被検知者の異常に対する処置が行われていないと判定し次の警報手段であるステップ２００に移行する。ステップ２００では、引き続き被検知者に問い掛けを行なうとともに、浴室２外の居室にいる人に被検知者に異常が発生したことをステップ１８０よりも大きなレベルの出力信号で警報を出し続けてステップ２１０に移行する。ステップ２１０では、解除スイッチ４ｃで解除操作が行なわれたかを判定する。解除操作がなければステップ２００に戻り警報を出し続け、解除操作が行われるとステップ１００にリターンする。
【０１１１】
以上の第２実施形態によれば、検出された音響を第１バンドパスフィルター５ａによって特定周波数成分に抽出することにより、浴室２内の音の有無をより正確にかつ容易に検出できる。また、浴室２内で発生する音から、少なくとも二つ以上の特定周波数成分を切り替えて抽出するか、または同時に抽出することにより、浴室２の大きさの変化より共鳴または共振周波数などが変動しても確実に浴室２内で発生する音が検出できる。
【０１１２】
また、浴室２内で発生する音のうち、比較的大きく、かつ持続時間が長い音だけを抽出することにより、浴室２外から侵入する音に、第１バンドパスフィルター５ａにより抽出される特定周波数成分が減衰しきれずに残っていても、正確かつ容易に浴室２内の音を検出できる。
【０１１３】
また、浴室２に隣接する脱衣室や洗面室などで、ドアや戸棚の扉などを勢いよく閉じるような単発音は、その後再現がなければ、実質無音状態であると判定するため、万一浴室２外からの単発的な音を検出しても、実質無音状態であると判定するため被検知者の異常動作状態を判定するときに誤検出を防止できる。
【０１１４】
また、給湯装置の運転を示す給湯運転情報（ステップ３２０）を制御装置５に設けるとともに、その給湯信号の有無によって、具体的には、被検知者が浴槽内にたし湯をしたり、洗い場でシャワーを浴びるなど水栓やシャワーを開いて給湯動作をしたときに、浴室２内の音が異なるため、第２閾値（Ｌ２）または／および第２所定時間（Ｔ６）に変更することにより、たとえ水栓やシャワーが開かれたままの状態が継続されているときにおいては、被検知者の継続的動作を伴なわない繰り返し音または繰り返し振動に重畳されているので、被検知者の動作音や動作による振動のみを検出して確実に被検知者の異常動作状態を判定することができる。
【０１１５】
また、報知手段（ステップ１５０ａ）による音声信号を、予め第１バンドパスフィルター５ａにより抽出する特定周波数成分を除去または減衰させることにより、報知中であっても被検知者の動作音のみを正確に検出することができる。
【０１１６】
（他の実施形態）
以上の実施形態では、音をマイクロフォン３ａにて検出して音響波形をそのままモニターするか特定周波数成分に抽出するかのいずれかによって異常動作状態を判定する判定手段について説明したが、これに限らず、浴室２内の振動を検出する振動ピックアップなどを用いて、振動を検出し振動波形をモニターして異常動作状態を判定することでも良い。なお、洗い場や浴槽が一体で形成されているバスユニットなどの浴室では、振動波形を用いて異常動作状態を判定するときには振動音が伝達し易い壁面などに振動ピックアップを配設すると振動の検出精度が向上する。
【０１１７】
また、第１実施形態では、応答判定手段であるの応答なしの判定の後に第２判定手段である第２異常判定手段のステップ１７０の判定手段を備える説明をしたが、これに限らず、音響波形が無音領域を第１所定時間（Ｔ１）経過して応答判定手段（ステップ１６０）で応答なしであれば第２異常判定手段のステップ１７０を省略し、次の警報手段を実行させることでも良い。これにより、いち早く警報手段を実行させることができる。
【０１１８】
また、以上の実施形態では、報知手段であるステップ１５０、１５０ａを浴室２内の被検知者に対して音声信号によって問い掛けを実行したが、警告音として報知させても良い。しかも、この警告音が浴室２外側に発するように構成させても良い。これにより、浴室２外部に存在する人への異常の予知警告として万全を期することができる。
【０１１９】
また、以上の実施形態では、浴室２内への被検知者の入退室を検出する入室検出手段として、被検知者までの距離を検出する測距手段である赤外線測距センサー３ｂを用いて説明したが、これに限らず、モニターの開始手動スイッチ、浴室扉２ａの開閉信号、被検知者の通過信号、浴室２の照明スイッチなどを検出することで被検知者の入退室を検出することでも良い。さらに、浴室２においては、シャワーまたは浴室の温水栓などの流水の開始信号などを検出することで被検知者の入退室を検出することでも良い。
【０１２０】
また、マイクロフォン３ａに入力される被検知者の音声を、第２バンドパスフィルター５ｂによって特定周波数成分が除去または減衰されて拡声器４ｂから出力されることにより、浴室２内での反響音や共鳴音などによる音割れや耳障りな音が除去または減衰されて明瞭な音声とすることができる。
【０１２１】
また、マイクロフォン３ａ、赤外線測距センサー３ｂおよび報知器３ｃをリモコンパネル３内に配設したが、洗い場２ｂや浴槽２ｃに給湯を行う給湯装置などのリモコンパネルなどに内蔵させても良い。これにより、給湯装置の付加機能が向上する。
【０１２２】
また、以上の実施形態では、浴室２内に適用した人体異常検知装置１について説明したが、これに限らず、本発明である人体異常検知のための検出空間としては、洗面室、便所、あるいは老人室など介護を必要とする被検知者を対象とした居室に適用しても良い。
【図面の簡単な説明】
【図１】本発明の第１実施形態における人体異常検出装置１の全体構成を示す搭載説明図である。
【図２】本発明の第１実施形態における制御装置５の制御フローを示すフローチャートである。
【図３】本発明の第１実施形態における信号処理部の音響波形特性および移動距離特性を示す特性図である。
【図４】本発明の第２実施形態における人体異常検出装置の全体構成を示す搭載説明図である。
【図５】浴室２内で発するチャプン音を（ａ）はマイクロフォン３ａにて検出した経過時間（秒）に対する振幅変動の特性図、（ｂ）はその音を高速周波数変換したときのピーク値の軌跡の特性図、（ｃ）はマイクロフォン３ａにて検出した音を第１バンドパスフィルター５ａにより２６００〜４０００ＨZの特定周波数成分を抽出した経過時間（秒）に対する振幅変動の特性図、（ｄ）は（ｃ）における楕円で示した部分を拡大した特性図、（ｅ）は（ｄ）の＋側を半波整流してＡＣ・ＤＣ変換したときの直流成分が合成閾値を超えている範囲を示す特性図である。
【図６】浴室２外で発する車の走行音を（ａ）はマイクロフォン３ａにて検出した経過時間（秒）に対する振幅変動の特性図、（ｂ）はその音を高速周波数変換したときのピーク値の軌跡の特性図、（ｃ）はマイクロフォン３ａにて検出した音を第１バンドパスフィルター５ａにより２６００〜４０００ＨZの特定周波数成分を抽出した経過時間（秒）に対する振幅変動の特性図、（ｄ）は（ｃ）における楕円で示した部分を拡大した特性図である。
【図７】浴室２外で発するドアを閉じる音を（ａ）はマイクロフォン３ａにて検出した経過時間（秒）に対する振幅変動の特性図、（ｂ）はその音を高速周波数変換したときのピーク値の軌跡の特性図、（ｃ）はマイクロフォン３ａにて検出した音を第１バンドパスフィルター５ａにより２６００〜４０００ＨZの特定周波数成分を抽出した経過時間（秒）に対する振幅変動の特性図、（ｄ）は（ｃ）における楕円で示した部分を拡大した特性図である。
【図８】浴室２内で発するシャワー音を（ａ）はマイクロフォン３ａにて検出した経過時間（秒）に対する振幅変動の特性図、（ｂ）はその音を高速周波数変換したときのピーク値の軌跡の特性図、（ｃ）はマイクロフォン３ａにて検出した音を第１バンドパスフィルター５ａにより２６００〜４０００ＨZの特定周波数成分を抽出した経過時間（秒）に対する振幅変動の特性図、（ｄ）は（ｃ）における楕円で示した部分を拡大した特性図、（ｅ）は（ｄ）の＋側を半波整流してＡＣ・ＤＣ変換したときの直流成分が合成閾値を超えている範囲を示す特性図、（ｆ）は（ｃ）における２重線の楕円で示した部分をＡＣ・ＤＣ変換したときの直流成分が合成閾値を超えている範囲を示す特性図である。
【図９】浴室２内で発するシャワーを浴びる音を（ａ）はマイクロフォン３ａにて検出した経過時間（秒）に対する振幅変動の特性図、（ｂ）はその音を高速周波数変換したときのピーク値の軌跡の特性図、（ｃ）はマイクロフォン３ａにて検出した音を第１バンドパスフィルター５ａにより２６００〜４０００ＨZの特定周波数成分を抽出した経過時間（秒）に対する振幅変動の特性図、（ｄ）は（ｃ）における楕円で示した部分を拡大した特性図である。
【図１０】本発明の第２実施形態における制御装置５の制御フローを示すフローチャートである。
【符号の説明】
３ａ…マイクロフォン（検出手段）
３ｂ…赤外線測距センサー（入室検出手段、測距手段）
３ｃ…報知器
４ｂ…拡声器
４ｄ…第２マイクロフォン
５ａ…第１バンドパスフィルター（第１フィルター手段）
５ｂ…第２バンドパスフィルター（第２フィルター手段）
Ｌ１、Ｌ２…第１閾値、第２閾値
１２０…暗騒音記憶手段（記憶手段）
１４０、１４０ａ…第１異常判定手段（第１判定手段）
１５０、１５０ａ…報知手段
１６０…応答判定手段
１７０…第２異常判定手段（第２判定手段）
１８０、２００…警報手段
【図１】
0003820993.tif 000002
【図２】
0003820993.tif 000003
【図３】
0003820993.tif 000004
【図４】
0003820993.tif 000005
【図５】
0003820993.tif 000006
【図６】
0003820993.tif 000007
【図７】
0003820993.tif 000008
【図８】
0003820993.tif 000009
【図９】
0003820993.tif 000010
【図１０】
0003820993.tif 000011